(57)【要約】【課題】ネオンテトラ、グッピー、メダカ等の小型観賞魚を飼育するために使用される容量５リットル以下の超小型水槽に最適な小型のヒータ装置を提供する。【解決手段】観賞魚用水槽の槽内に設置する外装ケース１が、その内部に配設する電熱ヒータ４と温度センサ５のいずれか全長の長い方を収容できる程度の長さに形成され、電熱ヒータ４と温度センサ５とが外装ケース１の幅方向に一定の間隔をあけて並行に対峙するように配設されている。【選択図】図１
0003113908.tif 000002
【実用新案登録請求の範囲】
【請求項１】
観賞魚用水槽の槽内に設置する外装ケースの内部に電熱ヒータと温度センサが配設された観賞魚用ヒータ装置において、前記外装ケースが、前記電熱ヒータと前記温度センサのいずれか全長の長い方を収容できる程度の長さに形成され、前記電熱ヒータと前記温度センサとが該ケースの幅方向に一定の間隔をあけて並行に対峙するように配設されていることを特徴とする観賞魚用ヒータ装置。
【請求項２】
前記外装ケースが、難燃性プラスチックで成形された角トレイ形のケース本体とその蓋体とで形成されると共に、前記ケース本体の内部に、その内部に配設される前記電熱ヒータと前記温度センサとを並行に対峙させて固定するリブが形成され、前記蓋体に、観賞魚用水槽の槽壁に吸着させる吸盤が取り付けられている請求項１記載の観賞魚用ヒータ装置。
【請求項３】
前記ケース本体の内部に、その内部に配設される前記電熱ヒータ及び前記温度センサと電源コードの配線を覆うように防水用シーリング剤が充填されると共に、前記ケース本体の周縁部に形成されたフック形の嵌合用リブを前記蓋体の周縁部に形成されたリブ受け部に嵌合させることにより、ケース本体とこれにかぶせる蓋体とが分離不能に一体化されている請求項２記載の観賞魚用ヒータ装置。
【請求項４】
前記電熱ヒータが、定格消費電力１０Ｗ〜２０Ｗの角型セメント抵抗器で成る請求項１、２又は３記載の観賞魚用ヒータ装置。
【考案の詳細な説明】
【技術分野】
【０００１】
本考案は、熱帯魚等を飼育する観賞魚用水槽の水温を適温に保つために用いる観賞魚用ヒータ装置に係り、特に容量が小さい小型水槽に好適なヒータ装置に関する。
【背景技術】
【０００２】
従来のヒータ装置は、観賞魚用水槽の槽内に設置する外装ケースが、ガラス管やセミックス管などの円筒管で形成され、その管内にニクロム線コイルで成る電熱ヒータと温度センサとが管長方向に沿って相前後するように配設されると共に、それら電熱ヒータと温度センサが管端に取り付けた電源コードに対して直列に接続されている（例えば、特許文献１参照）。
【特許文献１】実開平５−７０２６７号公報
【０００３】
現在この種のヒータ装置で最も小型の市販品は、容量１０リットル以下の観賞魚用水槽に使用するもので、電熱ヒータの定格消費電力が３０Ｗ、ガラス管やセミックス管で成る外装ケースの長さが約１５ｃｍ程度となっている。
【０００４】
ところで、最近は、ネオンテトラ、グッピー、メダカ等の小型観賞魚を気軽に飼育することができるコンパクトサイズの水槽が市販されており、当該水槽は、その容量が５リットル以下で、縦・横・高さが１７×１７×１７ｃｍ以下と非常に小さく、本棚、飾り棚、各種キャビネット、テーブル、机等の片隅にも置けることから大変な人気を博している。
【０００５】
しかしながら、容量５リットル以下の超小型水槽に適応したヒータ装置がないために、水温が低下する冬季は、観賞魚を継続して飼育することが困難であった。なお、容量１０リットル以下の小型水槽用として市販されている定格消費電力３０Ｗの小型ヒータ装置は、これを容量５リットル以下の水槽に設置するのは過剰装備となるし、該ヒータ装置の外装ケースは、小型とは言え、約１５ｃｍ程度の長さを有しているから、その全体を容量５リットル以下の水槽の水中に完没させるように設置するのは困難である。
【考案の開示】
【考案が解決しようとする課題】
【０００６】
本考案は、容量５リットル以下の超小型水槽にも適応可能な小型の観賞魚用ヒータ装置を提供し得るようにすることを技術的課題としている。
【課題を解決するための手段】
【０００７】
上記の課題を解決するために、本考案は、観賞魚用水槽の槽内に設置する外装ケースの内部に電熱ヒータと温度センサが配設された観賞魚用ヒータ装置において、前記外装ケースが、前記電熱ヒータと前記温度センサのいずれか全長の長い方を収容できる程度の長さに形成され、前記電熱ヒータと前記温度センサとが該ケースの幅方向に一定の間隔をあけて並行に対峙するように配設されていることを特徴とする。
【考案の効果】
【０００８】
本考案によれば、観賞魚用水槽の槽内に設置する外装ケースの長さが従来に比べて大幅に短縮されるので、容量５リットル以下の超小型水槽にも最適な小型のヒータ装置を提供することができる。
【考案を実施するための最良の形態】
【０００９】
本考案の最良の実施形態は、観賞魚用水槽の槽内に設置する外装ケースが、その内部に配設する電熱ヒータと温度センサのいずれか全長の長い方を収容できる程度の長さに形成されると共に、電熱ヒータと温度センサとが該ケースの幅方向に一定の間隔をあけて並行に対峙するように配設された自動温度調節器付きの観賞魚用ヒータ装置である。
【００１０】
そして、その外装ケースは、一般に自己消火性樹脂と称する難燃性プラスチックで成形された角トレイ形のケース本体とその蓋体とで形成され、ケース本体の内部には、電熱ヒータと温度センサとを並行に対峙させて固定するリブが形成されると共に、電気絶縁性を有する防水用シーリング剤が充填され、蓋体には、観賞魚用水槽の槽壁に吸着させるキスゴムと称する吸盤が取り付けられている。
【００１１】
また、外装ケースの内部に配設する電熱ヒータは、巻き線抵抗器のパッケージをセラミックスケースとセメントで封じた角型セメント抵抗器で成り、特に容量５リットル以下の超小型水槽に用いるヒータ装置とする場合は、その電熱ヒータとして定格消費電力１０Ｗ〜２０Ｗの角型セメント抵抗器が用いられている。
【実施例１】
【００１２】
図１は本考案に係る観賞魚用ヒータ装置の一例を示す平面図、図２はそのヒータ装置の外装ケースのケース本体にかぶせる蓋体の平面図、図３はそのヒータ装置の断面図である。
【００１３】
本例のヒータ装置は、観賞魚用水槽の槽内に設置する外装ケース１に電源コード２が取り付けられると共に、その外装ケース１の内部に、電源コード２の配線３に対して直列に接続された電熱ヒータ４と温度センサ５とが配設された自動温度調節器付きのヒータ装置であって、電熱ヒータ４は、温度センサ５よりも全長が長い定格消費電力１０Ｗ〜２０Ｗの角型セメント抵抗器で形成され、外装ケース１は、角型セメント抵抗器で成る電熱ヒータ４を収容できる程度の長さに形成されて、電熱ヒータ４と温度センサ５とが、外装ケース１の幅方向に一定の間隔をあけて並行に対峙するように設置されている。
【００１４】
また、外装ケース１は、一般に自己消火性樹脂と称するＡＢＳ樹脂系等の難燃性プラスチックで成形された角トレイ形のケース本体６とその蓋体７とで形成されている。そして、ケース本体６の内部には、電熱ヒータ４と温度センサ５とを互いに並行に対峙させて固定するトラック形の環状リブ８が形成されると共に、電熱ヒータ４及び温度センサ５と電源コード２の配線３等を覆うように電気絶縁性を有する防水用シーリング剤１２が充填され、蓋体７には、観賞魚用水槽の槽壁に吸着させる一対の吸盤９、９が長さ方向に一定の間隔をあけて取り付けられている。
【００１５】
蓋体７は、これをケース本体６にかぶせたときに該ケース本体６に形成された環状リブ８の内側に納まる部分に、吸盤９、９を嵌め止めるスリット１０が形成されると共に、該スリット１０の中央部に、吸盤９の後端部を嵌め入れる穴１１が形成されて、該穴１１に後端部を嵌め入れた吸盤９、９をスリット１０の両端側に摺り動かして図２の如く取り付けるようになっている。そして、吸盤９、９が取り付けられた蓋体７をケース本体６にかぶせる際に、ケース本体６の周縁部に形成されたフック形の嵌合用リブ１３、１３…を蓋体７の周縁部に形成されたリブ受け部１４、１４…に嵌合させることにより、ケース本体６とこれにかぶせる蓋体７とを分離不能に一体化させて、外装ケース１の組立が完了する。
【００１６】
以上のように、外装ケース１は、電熱ヒータ４と温度センサ５とを一定の間隔をあけて並行に対峙するように配設するため、従来のものに比べて幅広となるが、該ケース１の長さは、電熱ヒータ４を収容可能な程度の長さしかないので、少なくとも温度センサ５の長さ分だけは従来のものより短くなり、例えば定格消費電力１０Ｗの角型セメント抵抗器で成る電熱ヒータ４を収容可能な外装ケース１の長さは、約７ｃｍ前後で足りるから、容量が５リットル以下、縦・横・高さが１７×１７×１７ｃｍ以下の超小型水槽にも容易に設置することができる。
【００１７】
また、容量５リットル以下の観賞魚用水槽の水温を適温に保持するには、定格消費電力１０Ｗ程度の電熱ヒータ４で十分であり、また、電熱ヒータ４として安価で取付が簡単な既製の角型セメント抵抗器を用いれば、ヒータ装置全体の製造コストを大幅に低減することができる。また、ガラス管やセラミック管で成る従来の外装ケースは、床の上に落とすなどして破損するおそれがあったが、本例の如く外装ケース１を耐衝撃性に優れたＡＢＳ樹脂系の難燃性プラスチックで成形すれば、破損のおそれはなく、安全性も高い。更に、外装ケース1は、ケース本体６内に電熱ヒータ４と温度センサ５を配設し、防水用シーリング剤１２を充填して、該ケース本体６に蓋７をかぶせるだけで組立が完成するので、その組立加工コストも著しく低減される。したがって、本例のヒータ装置は、容量５リットル以下の安価な小型水槽に見合った低価格で販売することができる。
【産業上の利用可能性】
【００１８】
本考案は、ネオンテトラ、グッピー、メダカ等の小型観賞魚を気軽に飼育することができる５リットル以下のコンパクトな観賞魚用水槽に最適なヒータ装置を提供することができる。
【図面の簡単な説明】
【００１９】
【図１】本考案に係るヒータ装置の一例を示す平面図
【図２】本考案に係るヒータ装置の外装ケースのケース本体にかぶせる蓋体の平面図
【図３】本考案に係るヒータ装置の外装ケースの断面図
【符号の説明】
【００２０】
１  外装ケース
２  電源コード
４  電熱ヒータ
５  温度センサ
６  ケース本体
７  蓋体
８  環状リブ
９  吸盤
１２  防水用シーリング剤
１３  嵌合用リブ
１４  リブ受け部
【図１】
0003113908.tif 000003
【図２】
0003113908.tif 000004
【図３】
0003113908.tif 000005